(57)【要約】洗浄手段、洗浄液の区画及び流路手段を備える本体を有するブラシが備えられる。ブラシは、その表面と区画の間を連通する第１及び第２の開口を有する。ブラシは、特に、水平方向ではない表面を洗浄するのに適している。
2008538969.tif 000002
【特許請求の範囲】
【請求項１】
対象物の、特に、水平方向ではない方向の表面を洗浄する際に使用するブラシであって、上記ブラシは、その第１の表面部分に取り付けられた毛ブラシ又は毛筆である洗浄手段とともに本体を備え、上記洗浄手段は、上記第１の表面部分から離れて洗浄表面を形成し、上記本体は、
洗浄液を格納する区画と、
洗浄液を上記区画から外に流し、上記ブラシの第１の表面部分と上記区画との間を連通する第１の開口又は流路と、
洗浄液を上記区画に案内して上記本体の表面と上記区画との間を連通する第２の開口又は流路と、
上記ブラシの上記第１の表面部分で第１の開口付近から上記洗浄表面に向けて延びる流路手段とを、さらに有しているブラシ。
【請求項２】
対象物の、特に、水平方向ではない方向の表面を洗浄する際に使用するブラシであって、上記ブラシは、その第１の表面部分に取り付けられた毛ブラシ又は毛筆である洗浄手段とともに本体を備え、上記洗浄手段は、上記第１の表面部分から離れて洗浄表面を形成し、上記本体は、
洗浄液を格納する区画と、
洗浄液を上記区画から外に流し、上記ブラシの第１の表面部分と上記区画との間を連通する第１の開口又は流路と、
洗浄液を上記区画に案内して上記本体の表面と上記区画との間を連通する第２の開口又は流路と、
さらなる区画及び／又は予備区画のような構造に保持するさらなる洗浄液とを、さらに有しているブラシ。
【請求項３】
上記ブラシの上記第１の表面部分で第１の開口付近から上記洗浄表面に向けて延びる流路手段をさらに備える、請求項２に記載のブラシ。
【請求項４】
上記区画を形成する壁は、上記第１の表面と略平行である底壁部分と、垂直方向の表面を洗浄する際にブラシが配置された際に、区画の概して水平床を形成する下方の側壁部分と、上記区画の両端を介して洗浄液が上記区画から出ないようにするための端壁部分とを備え、望ましくは、上記下方の側壁部分は、床を形成し、当該床は、垂直方向の表面を洗浄する際にブラシが配置された際に、水平方向より上方方向に上記底壁部分から離れる方向に延びる、請求項１〜３のいずれか１つに記載のブラシ。
【請求項５】
上記流路手段は、ブラシが垂直方向の表面を洗浄するために配置された際に、上記第１の開口の少なくとも下方に配置された流路のような構造を含む、請求項４に記載のブラシ。
【請求項６】
上記流路手段は、上記第１の開口の少なくとも１８０°を取り囲む流路のような構造、さらに望ましくは、当該構造は、上記第１の開口の少なくとも２７０°を取り囲む上記流路のような構造、さらに望ましくは、上記開口を取り囲む上記流路のような構造を含む、請求項１〜５のいずれか１つに記載のブラシ。
【請求項７】
上記流路手段は、上記第１の開口の近くで洗浄手段の部分を構成し、望ましくは、上記流路手段は、少なくとも１つ水漏れしない層、望ましくは少なくとも２つ水漏れしない層、及びさらに望ましくは少なくとも３つ水漏れしない層に、上記第１の開口に隣接して配置された毛ブラシを備える、請求項１又は６のいずれか１つに記載のブラシ。
【請求項８】
流路手段は、弾性部材で構成され、当該弾性部材は、透水性ではなく、好ましくは、上記弾性部材は、貫通した流路又は表面流路を有するシート状又は弾力性のある巨大な部材である、請求項１〜７のいずれか１つに記載のブラシ。
【請求項９】
上記流路手段は、ブラシが垂直方向の表面を洗浄するために配置された際に、垂直方向より下方の方向に本体から離れる方向に延びる、請求項１〜８のいずれか１つに記載のブラシ。
【請求項１０】
上記第１の開口は、上記下方の側壁部分の近くで上記底壁部分に配置される、請求項４〜９のいずれか１つに記載のブラシ。
【請求項１１】
上記ブラシの上記第１の表面部分と上記区画との間を連通する別の第１の開口を備え、上記区画は、ブラシが垂直方向の表面を洗浄するために配置された際に、上記ブラシの水平方向の長さに沿って延び、上記第１の開口及び上記別の第１の開口は、上記区画の端壁部分の近くで互いに離れて配置され、望ましくは、上記ブラシは、複数の第１の開口を備える、請求項１０に記載のブラシ。
【請求項１２】
上記区画の上記底壁部分に予備区画をさらに備え、上記予備区画は、ブラシが垂直方向の表面を洗浄するために配置された際に、上記底壁部分から垂直方向より上方に延びる床を形成する下方の予備側壁部分及び予備端壁部分を構成し、上記予備区画は、上記区画に開放され、上記下方の予備側壁部分の近くで第１の開口を少なくとも１つ有し、望ましくは、上記ブラシは、複数の予備区画を備える、請求項４〜１１のいずれか１つに記載のブラシ。
【請求項１３】
洗浄液を含む別の区画を少なくとも１つさらに備え、第１の開口及び第２の開口と対応する、請求項１〜１２のいずれか１つに記載のブラシ。
【請求項１４】
上記区画の２つは、ブラシが垂直方向の表面を洗浄するために配置された際に、他方の区画より少なくとも部分的に上方に一方の区画を配置させる、請求項１３に記載のブラシ。
【請求項１５】
上記２つの区画を分割する壁が配置され、ブラシが垂直方向の表面を洗浄するために配置された際に、上記壁は、水平方向から上方の方向に上記底壁部分から離れる方向に延びる、請求項１４に記載のブラシ。
【請求項１６】
上記第１の開口は、ブラシが垂直方向の表面を洗浄するために配置された際に、上記ブラシの上記第１の表面部分の下方のエッジから離れて配置され、望ましくは、上記第１の開口と上記下方のエッジとの間の距離は、ブラシが垂直方向の表面を洗浄するために配置された際に、上記第１の開口より少なくとも部分的に下方に上記流路手段を配置するのに十分である、請求項１〜１５のいずれか１つに記載のブラシ。
【請求項１７】
上記区画は、ブラシが垂直方向の表面を洗浄するために配置された際に、上記ブラシの上記第１の表面部分の上記下方のエッジより高い位置に配置される、請求項１〜１６のいずれか１つに記載のブラシ。
【請求項１８】
上記本体は、洗浄液が上記第１の開口を通って上記区画に流入する際に、上記区画から空気が抜け出る第３の開口又は流路をさらに備え、望ましくは、上記第３の開口又は流路は、上記ブラシの上記第１の開口から離れて上記ブラシの第２の表面部分に開放され、さらに望ましくは、上記第３の開口は、ブラシが垂直方向の表面を洗浄するために配置された際に、垂直方向の中心面に配置される、請求項１〜１７のいずれか１つに記載のブラシ。
【請求項１９】
少なくとも１つの上記第３の開口の口は、旋回運動及び滑る部材の開口サイズ手段によって調整される、請求項１８に記載のブラシ。
【請求項２０】
上記第３の流路は、水シール性の構造を備え、望ましくは、上記水シール性の構造は、上記第１の表面部分で上記本体に接続される第１のブラインド管及び上記第１の表面部分から離れて上記本体に接続される第２の開管を構成し、上記第１及び第２の管は配置され、上記第２の管は、上記第１の配管の周りに適合し、ジグザグの開口は、上記第１及び第２の管を介して、上記区画の内壁と上記第２の表面部分との間に形成される、請求項１８又は１９に記載のブラシ。
【請求項２１】
上記本体は、上記第２の開口に配置された洗浄液流量絞り手段をさらに備えられ、上記第２の開口を通って上記区画から洗浄液の逆流を絞る又は防ぎ、望ましくは、上記絞り手段は、逆し弁手段を備える、請求項１〜２０のいずれか１つに記載のブラシ。
【請求項２２】
上記絞り手段は、平板でプラスチック又はゴムの弾性部材で構成され、上記弾性部材は、上記第２の開口の内孔より大きいサイズ及び上記内孔に隣接した上記区画の内壁表面に少なくとも部分的に配置された上記第２の開口の部分を有し、緩んだ状態である上記平板は、上記内孔を覆い、望ましくは、上記平板は、上記第２の開口に向かって付勢される、請求項２１に記載のブラシ。
【請求項２３】
添加物の物質を継続的に又は断続的に分配する分配手段をさらに備え、上記添加物の物質は、液状の洗浄剤、ペースト状洗浄剤又は粉状の洗浄剤で、石けん、合成洗剤又は同じようなものであり、望ましくは、洗浄液を含む上記区画内又は上記本体の上記第１の開口へ添加物用パイプを介して上記添加物の物質を分配する、請求項１〜２２のいずれか１つに記載のブラシ。
【請求項２４】
上記本体の上記第１の表面で添加物用パイプの開口の近くに配置された第２の流路手段をさらに備える、請求項２３に記載のブラシ。
【請求項２５】
上記本体は、プラスチックの射出成形でベース部材及び上方部材を形成し、上記上方部材は、上記ベース部材と気密性で接続され、望ましくは、シリコン性の接着剤であるシール性の材料を用いて接続される、請求項１〜２４のいずれか１つに記載のブラシ。
【請求項２６】
上記区画及び任意の別の区画は、上記第１の開口、上記第２の開口及び任意の第３の開口だけを介して、上記区画の外側に開放されている請求項１〜２５のいずれか１つに記載のブラシ。
【請求項２７】
使用範囲を拡大するハンドル部材をさらに備え、上記使用範囲は、使用者が操作できる範囲で、望ましくは、上記ハンドル部材は、伸縮自在のハンドル部材であり、上記ブラシの上記本体と少なくとも一時的に接続できる、請求項１〜２６のいずれか１つに記載のブラシ。
【請求項２８】
上記ハンドル部材は、ブラシが垂直方向の表面を洗浄するために配置された際に、上記ブラシの垂直方向の中心面の近くで接続され、望ましくは、上記ハンドル部材は、上記ブラシの垂直方向の中心面で接続される、請求項２７に記載のブラシ。
【請求項２９】
上記ハンドル部材は、ロック機構付き／チルト台接続を介して、上記ブラシの上記本体に接続される、請求項２７又は２８のいずれか１つに記載のブラシ。
【請求項３０】
上記ブラシの上記第１の表面部分から離れる方向に水を導く、請求項１〜２９のいずれか１つに記載のブラシにおける流路手段の使用方法。
【請求項３１】
大体は垂直方向の表面、例えば車両、道路標識、交通標識又は広告板などの表示板、壁、船舶などを洗浄する、請求項１〜２９のいずれか１つに記載のブラシの使用方法。
【発明の詳細な説明】
【技術分野】
【０００１】
本発明は、洗浄液を含んだ区画を備えた洗浄ブラシに関する。特に、本発明は、水平でない方向の表面を洗浄する洗浄ブラシに関する。
【背景技術】
【０００２】
対象物が従来のブラシ及び水性の液体で洗浄される場合には、従来のブラシは、概して多くの場合には、十分な水を用いることで適切に洗浄をすることが可能となり、水の入った容器に浸す必要がある。これまでは、ブラシに接続されたホースとともにブラシを用いて水を使用することで解決されてきた。しかしながら、大量の水が消費され、使用者が汚れそうになる。
【０００３】
上記の課題は、特許文献１で対応されており、対象物を洗浄するブラシが開示される。ブラシは、区画及び区画に水を流入する開口を備え、この開口は、スロットル手段を備え、また、開口は区画の外に水を流出することができる。
【０００４】
しかしながら、ブラシが、例えば、垂直方向の表面を洗浄するために利用される場合には、水が手を伝って流れ、使用者を汚す傾向があるように、上記ブラシの全ては、水平方向及び下方に接面に使用するために大部分は適している。
【特許文献１】ＷＯ  ０３／０４９５７１
【発明の開示】
【発明が解決しようとする課題】
【０００５】
本発明の目的は、ブラシが水平方向でない表面、例えば垂直方向の表面を洗浄するために利用される場合に、手を伝って下に流れる洗浄液の傾向をかなり減らす又は完全に取り除いたブラシを提供することである。
【発明を実施するための最良の形態】
【０００６】
図面は、精度の高い概略図であり、必ずしも一定の縮尺ではない。また、図面は、他の部分を省略して本発明を説明するために必要な部分、又は推奨される部分だけを示す。
【０００７】
上記又は他の本発明の目的は、請求項１に記載のブラシにより達成する。
【０００８】
本発明によれば、ブラシは、上記ブラシの第１の表面部分に取り付けられた洗浄手段とともに本体を備える。好ましくは、洗浄手段は、適切な洗浄手段を提供するように、毛ブラシ又は引っかき傷を与えない材質の毛髪を備え、流路手段部分も形成している（下記参照）。また一方、天然又は合成材料のスポンジみたいな又は泡構造もふさわしい。洗浄手段は、概して第１の表面部分から０．５ｃｍ〜１０ｃｍ離れて洗浄表面を形成する。洗浄表面は、好ましくは一般に平面であり、例えば円筒形状又は球形のような洗浄表面は、本発明の範囲内である。
【０００９】
本体は、洗浄液を格納する区画をさらに有している。洗浄液は、例えばせっけん又は界面活性剤などの洗浄を補助するものを含む水又は水性の溶液又は懸濁液である。洗浄液それ自体は、特別な保護装置を一般的に必要とせず、容易に配置される。
【００１０】
本実施形態において、ブラシの区画を形成する壁は下記のものを備える。
・底壁部分は、第１の表面部分と実質的には平行である。ブラシで垂直方向の表面を洗浄する場合には、底壁部分は、主に垂直に配置される。
・下方の側壁部分。ブラシで垂直方向の表面を洗浄する場合には、下方の側壁部分は、通常、区画の水平床を形成する。下方の側壁部分は、底壁部分に対してある角度をなして配置される。その結果、床は、水平から上方の方向に、例えば水平から２−３０°上方に底壁部分から離れる方向に広がる。
・区画の両端を介して区画の開口から洗浄液を防ぐ端壁部分。
【００１１】
本実施形態において、上記の壁は、概して平面である。また一方、もっと全体的なアプローチは、本発明の範囲内である。例えば、下方の側壁部分は、下方の側壁を形成する球形の又は円筒形状の部分及び（必修ではなく、今後記載されない）上端壁部分及び／又は端壁部分を備える又は成る。
【００１２】
本体は、上記本体の表面と区画との間を連通して洗浄液を区画に導く第２の開口又は流路をさらに備える。第２の開口は、本体の第１の表面部分に優先的に開いているので、洗浄液を区画に入れることができ、その上洗浄手段が洗浄液の中に浸される。その結果、
洗浄手段は洗浄される可能性がある。第２の開口は、区画にもう一つ配置され、例えば、天井のような壁に形成される。それによって、洗浄手段は、第２の開口によって空間が形成されないように、第１の表面部分の一部で覆う。
【００１３】
第２の開口は、第２の開口を通って区画から洗浄液の逆流を絞る又は防ぐ洗浄液流路絞り手段を優先的に備えられる。流路絞り手段の対策は、第１の開口を介して（下記参照）及び第２の開口を介さずに区画から流出する洗浄液の大部分を確保する。従って、充填に要する時間の短い区画は、比較的大きい第２の開口及び比較的小さい第１の開口を有することで、排出時間の長い区画と結合される。流路絞り手段は、逆止め弁手段を好都合に設けられると、排出時間のより長い区画を促進する。本実施形態においては、複数の第２の開口が構成され、その結果、区画の充填を要する時間がさらに減少される。第２の開口は、２つ、３つ、４つ、又はそれ以上に設けられていることが望ましい。
【００１４】
本実施形態において、絞り手段は、弾性材料、例えばプラスチック又はゴムの平板で構成している。平板は、第２の開口の内径より大きいサイズであり、内孔に隣接した区画の内壁表面に少なくとも部分的に配置された第２の開口の部分を有している。その結果、平板は、緩んだ状態である。言い換えれば、平板が、押さえつけられない場合には、例えば洗浄液によって、平板を押さえつけて、内孔を覆う。
【００１５】
平板は、第２の開口に向かって付勢されることで、第２の開口の閉鎖を向上させる傾向がある。付勢は、例えば本体の上方の部分を突出するように、区画の内壁部分に向かって押しつけられる平板に少なくとも部分的に基づいている。付勢は、平板によって覆われた領域に突起部を有することで強化され、突起部は、−内壁方面に向かって押しつけられる平板の領域に関して、−第２の開口の反対に配置される。その結果、平板は、第２の開口の反対方向に内壁方面から離れる方向に湾曲させられる。これにより、平板を簡単に作ることができる。また、平板は、扁平ではない形状で形成される。その結果、平板が内壁方面に向かって押しつけられた際に、平板は、第２の開口に向かって押しつけられる。これにより、本体の形状が寄り簡単になる。
【００１６】
１つ以上の区画が存在する場合には、各区画に接続される第２の開口を少なくとも１つ有していることが好都合である。これにより、各区分から水を分配させ、さらに配水を実現することができる。各区画は、１つ以上の第２の開口を備えられるが、各区画に１つの第２の開口を有しているのが望ましい。
【００１７】
また、本体は、ブラシの第１の表面部分と区画の間を連通する第１の開口又は流路を備える。ブラシが水平方向ではない表面、例えば垂直方向の表面の洗浄に使用される場合には、少なくとも１つの第１の開口が下方の側壁部分の近くで底壁部分に配置されることが好都合であることが明らかになっている。その結果、大量の水が第１の開口の下方に閉じこめられ、区画から多くの水を出すことができる。言い換えれば、第１の開口の配置により、全ての水が第１の開口を通って出るように区画の全体積を効率的利用することができる。本実施形態において、複数の第１の開口が構成され、その結果、水がブラシの第１の表面部分にくまなく分配される。望ましくは、２、３、４、５、６、７、８つ以上の第１の開口が各区画に形成されている。
【００１８】
区画は、ブラシの第１の表面部分と区画との間を連通する１つ以上の第１の開口を有利に備えられている。典型的には、各区画は、区画の大きさ及び開口の大きさに依存して、１〜６又はそれ以上の第１の開口を有する。区画と異なる領域に開口を分配することで、ブラシの第１の表面部分にくまなく配水することができ、ブラシが一定でより高品質な洗浄作用を備えていることが分かる。ブラシが垂直方向の表面を洗浄するために配置された際に、区画がブラシの実質的な水平方向の長さに延びていることが特に重要である。それ故に、２つの第１の開口は、区画の端壁部分の近くに互いに離れて配置されている。
【００１９】
洗浄液を含む１つ以上の区画が本体に配位置されている場合には、各区画は、１つ以上の第１の開口で典型的に接続されている。
【００２０】
ブラシは、洗浄表面に向かってブラシの第１の表面部分に第１の開口付近から延びる流路手段を備えられている。流路手段は、第１の開口を介して区画から第１の表面部分に到達する洗浄液を導くために設けられている。その結果、洗浄液は、第１の表面部分から離れて洗浄手段によって形成された洗浄表面に向かって、ブラシの第１の表面部分から離れる方向に主に導かれる。洗浄液が流路手段によって第１の表面から離れる方向に導かれるように、洗浄液は、ブラシに伝わらなく、使用者を汚さない。
【００２１】
本実施形態において、流路手段は、ブラシが垂直方向の表面を洗浄するために配置された際に、第１の開口の少なくとも下方に配置された流路のような構造を含む。これにより、第１の開口から洗浄液を捕らえることが容易となり、その結果、流路手段の効率を向上させることができる。流路のような構造は、第１の開口の下方にだけ配置されるが、使用中にブラシが少し傾けられた場合には、流路のような構造は、水を保持しておくことができるように、第１の開口の少なくとも１８０°を取り囲む流路のような構造は、より効率的である。さらに本実施形態において、流路のような構造が第１の開口の少なくとも２７０°を取り囲む。この場合、ブラシを広範囲で傾けて使用することができる。
【００２２】
さらに、流路のような構造は、実質的に完全に第１の開口を取り囲む。これにより、ブラシを９０°に傾けた場合に、使用者に向かってブラシを伝って流れる水で濡れることなく、ブラシを水平方向に動かすことができる。さらに、第１の開口を完全に取り囲む流路のような構造は、流路のような構造の中にチャンバを形成する傾向があり、ブラシを使用しない場合には、チャンバは大抵、閉じられ、その結果、ブラシが使用されるまで、区画から流れ出る水を減らす、遅らせる、又は防ぐ。
【００２３】
本実施形態において、流路手段は、第１の開口の近くで洗浄部分の一部を形成する。それ故、個々の流路手段の使用が避けされる。本実施形態のその一例において、流路手段は、少なくとも１つの水漏れしない層の第１の開口に隣接して配置された毛ブラシを備える。水漏れしない層とは、ブラシの第１の表面部分に平行に設けられる防水性の層のことである。洗浄液がこのような層を通って漏れる場合、本実施形態は、第１の開口に隣接して配置された毛ブラシの少なくとも２つの水漏れしない層、さらに望ましくは少なくとも３つの水漏れしない層を備える。
【００２４】
本発明の１つの実施形態において、ブラシは、ブラシの第１の表面部分の大部分に互いに間隔を開けないで配置された毛ブラシを設けられている。その結果、毛ブラシは、多くの水漏れしない層を形成するだけでなく、むしろ第１の表面部分に平行な防水性の構造を全体的に形成する。この構造は、本体が組み立てられた後に、第１の開口又はもう１つの第１の開口が、例えばドリルで穴を開けることによって形成されという点で、好都合である。
【００２５】
他の本実施形態において、流路手段は、水を通すことができない又は少なくともゆっくり水を通すことができる弾性部材を構成する。多くの場合、弾性部材は、洗浄液がブラシの第１の表面部分から離れる方向に導かれた場合に、洗浄液が洗浄表面に洗浄手段に沿って運ばれがちであるように、洗浄手段によって形成された洗浄表面の全体にずっと広がる必要は典型的にはないということは明らかである。しかしながら、１つの実施形態において、弾性部材は、洗浄表面の全体にずっと広がる。弾性部材は、望ましくは、シート状のような部材で、弾性部材は、下方に配置されて、第１の開口の周りを部分的に又は完全に取り囲んでいる。又は、弾性部材は、通過する流路又は表面流路を有する弾性で巨大な部材である。
【００２６】
特に、本実施形態において、流路手段は、ブラシが垂直方向の表面を洗浄するために配置された際に、水平方向より下方の方向に本体から離れるように延びる。これにより、洗浄液が流路手段の外面に沿ってブラシの第１の表面部分に逆流することを防止する。
【００２７】
場合によっては、ブラシが垂直方向の表面を洗浄するために配置された際に、ブラシの第１の表面部分の下方のエッジから離れる方向に第１の開口を配置することが有利である。これは、特に、流路手段が毛ブラシの１つ以上の水漏れしない層又は第１の開口の下方に十分な大きさを必要とする別の流路手段を備える場合である、したがって、ブラシが垂直方向の表面を洗浄するために配置された際に、第１の開口と下方のエッジとの間の距離が少なくとも部分的に第１の開口の下方に流路手段を配置するのに十分であることが望ましい。
【００２８】
上述したように、第１の開口が区画の底壁部分の近くに配置されることが望ましい。したがって、区画は、ブラシが垂直方向の表面を洗浄するために配置された際に、ブラシの第１の表面部分の下方のエッジより高いことが望ましい。これにより、区画を完全に空にすることができる。
【００２９】
本実施形態において、本体は、洗浄液が第１の開口を通って区画に流入する場合に、空気を区画から出すことができる第３の開口又は流路をさらに備える。これにより、洗浄液を区画により速く入れることができる。区画内に閉じこめ得られる空気の可能性を減らすように、第３の開口又は流路が上記ブラシの第１の表面部分から離れる方向に上記ブラシの第２の表面部分に開けられている。また、洗浄液とともに区画に閉じこめられることになる空気のリスクを減らすように、第３の開口は、ブラシが垂直方向の表面を洗浄するために配置された際に、垂直方向の中心面の近くに配置される。本実施形態において、複数の第３も開口が形成される。その結果、区画内に閉じこめ得られる空気の可能性をさらに減らす。望ましくは、１、２、３つ又はそれ以上の第３の開口が形成される。
【００３０】
本実施形態において、第３の開口の口は開口サイズ手段によって調整される。これにより、第３の開口を通る空気の流速を調整することができる。例えば開口サイズ手段は、旋回運動又は滑り部材であることが望ましい。
【００３１】
特に、本実施形態において、第３の流路は、水シール性の構造を備える。これにより、ブラシが区画に水を保持している場合に、第３の開口又は第１の開口から外に流れる水を減らす又は遅らせる。水シール性の構造は、第１の表面部分に向かって本体に接続された第１のブラインド管及び第１及び第２の管が配置された第１の表面部分から離れる方向に本体に接続される第２の開管を備えていることが望ましい。その結果、第２の開管は、第１の管に適合し、ジグザグの開口が区画の内部と第２の表面部分との間に第１及び第２の管を介して形成される。望ましくは、管は、下方の側壁部分に平行に実質的に配置される。この配置により、より好ましい製造方法である金型による射出成形によって作ることができる。
【００３２】
洗浄作用のいくつかには、洗浄中、洗浄の有効性を増大するために添加剤をまき散らすことが有効である。それ故に、本実施形態は、継続的に又は断続的に添加物の物質を分配する分配手段をさらに備える。適切な添加物の例は、液体の洗浄剤、ペースト状の洗浄剤、又は粉末の洗浄剤、例えば石けん、合成洗剤、その他界面活性剤又は同様のものである。添加物は、望ましくは、洗浄液に含まれ区画内又は上記本体の第１の表面部分に接続される添加物用パイプを介して分配されている。添加物用パイプが設けられている場合には、上記本体の第１の表面部分で添加物用パイプの開口の近くに配置された第２の流路手段を備えていることがかなり好都合である。このような第２の流路手段は、例えば、洗浄液用の流路手段のような同じタイプ又は形状である。
【００３３】
ブラシは、使用範囲を拡大するハンドル部材を備えていることが好都合である。まった、使用範囲とは、使用者により到達できる、特に、到達可能な高い所に関する範囲である。ハンドル部材は、望ましくは、伸縮自在型のハンドル部材であり、ブラシの本体に少なくとも一時的に接続することができる。伸縮自在型のハンドル部材により、ハンドル部材を交換することなく、ハンドル部材の長さを調節することができる。
【００３４】
本実施形態において、ハンドル部材は、ブラシが垂直方向の表面を洗浄するために配置された際に、ブラシの垂直方向の中心面の近くでブラシに接続される。また、望ましくは、ハンドル部材は、ブラシの垂直方向の中心面で接続される。これにより、長いハンドル部材が用いられても、ブラシのつかみ部を安定させる及びバランスを取ることができる。
【００３５】
本実施形態において、ハンドル部材は、固い接続部を介してブラシに接続される。これにより、容易で安価な形状にすることができる。もう一方で、ハンドル部材とブラシの洗浄表面との間の角度が、使用中、継続的に変化して、柔軟な作業実施を提供することができるように、ロック付き機構又はチルト台接続を利用することが好都合である。
【００３６】
ブラシは、数々の方法で製造されが、ブラシの主要部分、例えばベース部材及び上方の部材をプラスチックの射出成形によって形成することが好都合である。これにより、速くて信頼性のある製造工程で形成されることができる。ベース部材及び上方の部材は、気密性のある方法、例えばシリコン性の接着剤のようなシール性の材料を用いて、接続されるべきである。
【００３７】
本発明の他の態様は、本発明の第１の態様に関するブラシ又は背景技術で記載されたブラシにおいて、ブラシの第１の表面部分から離れる方向に水を導く流路手段の使用と関係がある。垂直方向の表面を洗浄するためにこのようなブラシを用いる場合には、洗浄液によって使用者が汚れる可能性を減らすことができるので、流路手段は、特に、好都合である。
【００３８】
本発明の他の態様において、目的は、背景技術で記載されたようなブラシが水平方向ではない表面、例えば垂直方向の表面の洗浄に用いられた場合に、水の分散を提供することである。この問題点の好ましい解決方法は、区画の底壁部分に１つ以上の予備区画、例えば１、２、３、４、５、６、７、８又はそれ以上の区画を構成することである。予備区画は、洗浄液を保持する構造であり、区画の下方の側壁部分の上方に配置される。予備区画は、ブラシの第１の表面部分に分配され、予備区画に保持された洗浄液を通す第１の開口を有する。典型的には、予備区画に保持された洗浄液の体積は、全ての区画に全面的に保持された洗浄液のごく少量である。したがって、第１の開口が配置される前に、予備区画の第１の開口は、区画の下方の側壁部分の近くに枯渇する傾向である。もう一方、操作中、ブラシは、実質的には、力強く振られるので、その結果、区画が完全に空になるまで、時々、洗浄液で満たされように予備区画に区画から導く。それ故に、たとえ仮に、区画の平均の水のレベルが予備区画の第１の開口の下方であっても、水は、区画の第１の開口の上方の水準で分散される。そして、水の分配は改良されて、ブラシの効果的な洗浄作用を実現される。
【００３９】
予備区画は、底壁部分及び予備端壁部分から水平方向より上方に広がる床を形成する下方の予備側壁部分を備える。
【００４０】
予備区画は、区画に設けられ、下方の予備側壁部分の近くに第１の開口を少なくとも１つ有する。本実施形態において、予備側壁は実質的に平面である。しかしながら、全体的アプローチは本発明の範囲内である。例えば、下方の予備側壁は、下方の側壁及び／又は予備端壁部分を形成する球状の又は円筒形の部分を構成する。
【００４１】
特に、本実施形態において、ブラシは、水の分散をもたらす複数の予備区画を備えていることが好都合である。
【００４２】
区画からむらのある水の分配における別の好ましい解決方法は、洗浄液を含んだ別の区画を少なくとも１つ設けることである。別の区画は、洗浄液を保持する構造である。各区画は、対応する第１の開口及び第２の開口を有する。洗浄液が各区画の下方の側壁の近くに集まる傾向であるように、区画の下方の側壁の近くに配置された第１の開口とともに複数の区画は、ブラシの洗浄液がほとんどない状態である場合でも、水の分配をより広い範囲にすることができる。区画の配置における特に好都合なことは、洗浄中にブラシが正しい位置に置かれる場合に、区画がもう１つの区画より少なくとも部分的に上方に配置されることである。この場合には、洗浄液の分散は、ブラシ内の分配する洗浄液がほとんどない状態である場合でも、ブラシの第１の表面部分に垂直に分配される。そして、このように、洗浄作用が改良される。
【００４３】
２つの区画は、他方より上方に一方を配置させる領域において、区分を分割する壁が水平方向より上方の方向に底壁部分から離れる方向に広がる。これにより、区画の上方を完全に空にすることができる。
【００４４】
流路手段が規制された分配をさらにいっそう良くして、区画から水を効果的に用いるように、流路手段と水を保持する構造の両方を有するブラシの実施形態、例えば１つ以上の別の区画及び／又は予備区画が特に好都合である。また、水を保持する構造は、洗浄液の平均的な出口位置を上げる。そして、洗浄液が流路手段から失われると、洗浄液の移送を容易にする洗浄手段の量を増大し、下方に洗浄液を放出する洗浄手段の平均の量を増大するために、流路構造の必要条件を軟化させる。
【００４５】
本発明に関するブラシは、水平方向の表面を洗浄するのに用いられが、特に、水平方向ではない表面の洗浄に好都合であり、特に、使用中、ブラシの洗浄表面が使用者の手の上方となる垂直方向の表面に好都合である。これは、このような実施形態のように使用者が汚れるのを防ぐ及び／又は洗浄液の分配する効果的な装置によるものである。本発明に関するブラシが好都合である実施形態の例は、車両、例えば列車、車、バス、トラック及び娯楽用車両の洗浄；表示板、例えば道路標識、交通標識又は広告板の洗浄；固定構造物、例えばビル、壁、バス停留場の洗浄；ボート及びコンテナの洗浄である。もう一方、当業者は、ブラシが本発明における発明のコンセプトから逸脱することなく、同じ洗浄目的に用いられることをすぐに気が付くであろう。
【００４６】
上述のように、主に２つの部材、すなわち図１に示されるベース部材６０及び上方部材６２（図２参照）でブラシ本体を製造することが望ましい。図１の本体は、第１の開口１２を介して第１の表面部分と連通する区画４を備え、上記区画から外へ洗浄液を流すことができる。また、図１の本体は、第２の開口（１つは平板５２で覆われている）を備え、洗浄液を上記区画に案内する。第２の開口は、弾性部材タイプの平板５２である流路絞り手段を設けられている。平板５２は、第２の開口の１つを覆っており、一方、もう１つの平板は、明瞭にするために、省略されている。平板は、それ自身の２つの穴に対応する２つの突起部で保持されている。もう一方で、当業者によって認められる平板の他のあらゆる保持方法は、本発明の範囲内である。本体の上部の対応する付勢手段と一緒に、第２の開口に向かって平板の付勢を設ける。平板及び第２の開口付近の領域は、平板の密閉効果をさらに増大するためにシーリング部材（図示せず）も設けられている。
【００４７】
本体は、別の区画３６に下方の予備側壁部分３２及び両端の予備側壁３４を有する予備区画３０をさらに設けられている。上記予備区画は、上記さらなる区画の底壁部分の上に構成されている。さらに、第３の開口を備える水シール構造の部分を形成する第１のブラインド配管４０が示されている。最後に、ハンドル部材の接続部が７０に表示されている。
【００４８】
図２は、図１のベース部材に対応する上方部材６２を示す。ここで、区画４及び別の区画３６は、明確に特定される。区画４及び別の区画３６の下方の側壁部分２２及び２２ａのそれぞれはもちろん、端壁部分２４もわかる。付勢手段５４は、位置方向及び縦方向に配置されている。その結果、傾斜領域５６と第２の開口１４との間を押すことによって区画の床壁部分の上に図１の平板５２を押し付ける。第３の開口１６を備える水シール構造の部分を形成する開管４２も示されている。開管４２とブラインド管４０の間の太鼓腹は、図４でより明確に分かる。上方部材の壁部分は、壁部分−又はむしろガイドする部分−にしっかりと合い、区画の内側に平板を配置した後に、例えばシリコン接着剤のような接着剤で壁部分と固定される。
【００４９】
図３は、ベース部材の底面図である。洗浄手段は、明瞭にするために省略されている。それ故に、ブラシの第１の表面部分８は、明らかである。さらに、第１の開口１２、１２ａと同様に区画及び別の区画に対応する第２の開口１４もわかる。点線は、別の区画及び予備区画３０の下方の側壁部分２２ａの位置を示す。ブラシが洗浄するために配置されている場合には、下方の端に対応する第１の表面部分８の端から離れる方向に配置された第１の開口１２ａは、対応する下方の側壁部分３０及び２２ａの付近に置かれていることが分かる。それどころか、ブラシの第１の表面部分８の下方の端に一番近い第１の開口１２ａは、ブラシが垂直表面を洗浄するために配置されている場合には、第１の表面部分上の流路手段の位置を考慮するために端から離れる方向にわずかに動かされる（明瞭のために図示せず）。
【００５０】
図３に示されるように、ブラシは、好ましくは、垂直表面を洗浄するために配置されている場合には、高さより幅の方がかなり大きい。望ましくは、第１の表面部分は、少なくとも高さの１．５倍の幅である。さらに望ましくは、少なくとも高さの２倍の幅で、さらに望ましくは、第１の表面部分は、少なくとも高さの２．５倍の幅である。特にブラシは、中央部にハンドル部材が固定され、使用者の上方で垂直方向に主に動作される場合には、比較的大きな洗浄領域を考慮する必要がある。
【００５１】
図４において、本体の水シール構造の形成に関する条件は、本実施形態における第３の開口を形成する構造を必要とされる。空気を逃がすために区画４及び別の区画３６からの空気は、区画の底壁部分から離れる方向に第１のブラインド管４０に入る必要がある。その結果、空気は、第２の開管４２の内部を通る前に、第１のブラインド管４０と第２の開管４２の間の狭い径路を移動しなければならない。その後、空気は、開管４２から周囲に逃げることが可能となる。使用するときに、ブラシを動かすまで、このような配置により区画から水が溢れるのを遅らせる又は妨げることができる。したがって、仮にブラシが区画を満たした水を場合には、−特に、ブラシが洗浄手段の表面を上方に向けられている場合には、ごく少量の水が漏出する。
【００５２】
区画に対応する開口を介するだけで、区画がそれ自身の外部、例えば外気の方に隙間があることが望ましい。したがって、第１の開口又は開口、第２の開口又は開口、及び任意的な第３の開口又は開口は、区画の内部と区画の外側である外気との間の接合部を形成する。これにより、空気のようにより制御された洗浄液の放出を提供する。
【００５３】
図５は、例えば洗浄手段を通るような、ブラシの第１の表面部分８のすぐ外側の部分の概略図である。
【００５４】
流路手段は、洗浄表面全体に及ぶ。しかしながら、流路手段が洗浄手段以外の部材を備える場合には、このような部材は、典型的には、あそこまで及ばない。洗浄する際の配置されたブラシの断面図を図６に示す。洗浄手段６は、ブラシの第１の表面部分８から離れる方向に洗浄表面１０を形成する。図６Ａ）において、流路手段１８は、第１の開口１２の下方に配置された弾性部材２８で形成される。弾性部材が配置されると、水平から下方に第１の表面部分から離れる方向に延びる。これにより、ブラシの第１の表面部分に向かって流路手段の下方の表面に沿って方向付けられるために弾性部材によって案内される洗浄液をおそらく減らすことができる。
【００５５】
図６Ｂ）において、流路手段１８は、円筒形の弾性部材２８である。円筒形の部材は水平に配置されるので、洗浄液は、第１の表面部分に向かって流路の外側に流れて戻る。しかしながら、円筒形の部材の前方の端にある先端部分は、突出して形成されている。その結果、洗浄液は、流路の外側を沿って流れ戻る代わりに、円筒の先端から垂れる傾向である。
【００５６】
本実施形態（図示せず）において、洗浄手段は、第１の表面部分から水平の下方へ延びる端部を配置される。
【００５７】
図１〜図４に示される実施形態は、本発明を実施するために発明者が知っている最良の形態を示している。したがって、本発明は、独立請求項の特徴だけを有する他の実施形態により実施される可能性がある。さらに、当事者が実施形態の結果が自然法則によってふさわしくないとすぐに気が付く場合を除いて、記載されている本発明の実施形態から個々の特徴又は特徴の組み合わせ及び明らかな変形例は、記載されている他の実施形態の特徴と組み合わされ、又は交換可能である。
【図面の簡単な説明】
【００５８】
【図１】図１は、本実施形態におけるブラシの下部を示す。
【図２】図２は、本実施形態におけるブラシの上部を示す。
【図３】図３は、図１の下方部材の底面図を示す。
【図４】図４は、本実施形態におけるブラシの中心付近における垂直方向の断面図を示す。
【図５】図５は、流路手段のあらゆる実施形態を示す。
【図６】図６は、流路手段のあらゆる実施形態を示す。
【符号の説明】
【００５９】
２    本体
４    区画
６    洗浄手段
８    第１の表面部分
１０    洗浄表面
１２    第１の開口
１４    第２の開口
１６    第３の開口
１８    流路手段
２０    底壁部分
２２    下方の側壁部分
２４    端壁部分
２６    毛ブラシの水漏れしない層
２８    弾性部材
３０    予備区画
３２    下方の予備側壁部分
３４    予備端壁部分
３６    別の区画
４０    ブラインド管
４２    開管
５０    流量絞り手段
５２    平板
６０    ベース部材
６２    上方部材
７０    ハンドル部材接続部
【図１】
2008538969.tif 000003
【図２】
2008538969.tif 000004
【図３】
2008538969.tif 000005
【図４】
2008538969.tif 000006
【図５】
2008538969.tif 000007
【図６】
2008538969.tif 000008
【国際調査報告】
2008538969.tif 000009
2008538969.tif 000010
2008538969.tif 000011
2008538969.tif 000012